(57)【特許請求の範囲】
【請求項１】
交流の回転電機を駆動制御する回転電機駆動装置であって、
直流電源と前記回転電機との間に電気的に介在されて、直流と交流との間で電力を変換するインバータと、
前記直流電源と前記インバータとの間に電気的に介在され、前記インバータの直流側の正極と負極との間に接続される平滑コンデンサと、
前記インバータのスイッチング素子を、定められたスイッチング周波数に従ってスイッチング制御するインバータ制御部と、
前記直流電源の正極と前記平滑コンデンサの正極との間の直流側インダクタンスを、前記スイッチング周波数に応じて、予め規定された基準インダクタンスと当該基準インダクタンスよりも高い高インダクタンスとの間で切り替えるインダクタンス制御部と、を備え、
前記インバータの直流側の電圧であるシステム電圧を前記インバータの直流側の電流であるシステム電流で除した直流側電圧ゲインの周波数特性において、前記基準インダクタンスに応じた前記直流側電圧ゲインの値が前記高インダクタンスに応じた前記直流側電圧ゲインの値と同じとなる周波数を第一周波数とし、
前記直流電源を流れる電流である電源電流を前記システム電流で除した直流側電流ゲインの周波数特性において、前記基準インダクタンスに応じた前記直流側電流ゲインの値が前記高インダクタンスに応じた前記直流側電流ゲインの値と同じとなる周波数を第二周波数とし、
前記インダクタンス制御部は、前記スイッチング周波数が前記第一周波数と前記第二周波数との間の周波数域内に設定される切替点の周波数より低い状態で前記基準インダクタンスとし、前記スイッチング周波数が前記切替点の周波数より高い状態で前記高インダクタンスとするように前記直流側インダクタンスを切り替える回転電機駆動装置。
【請求項２】
前記システム電圧の脈動幅が予め規定された許容幅の範囲内に収まるように、前記基準インダクタンス及び前記高インダクタンス、並びに前記切替点の周波数が設定されている請求項１に記載の回転電機駆動装置。
【請求項３】
前記電源電流の脈動幅が予め規定された許容幅の範囲内に収まるように、前記基準インダクタンス及び前記高インダクタンス、並びに前記切替点の周波数が設定されている請求項１又は２に記載の回転電機駆動装置。
【請求項４】
前記スイッチング周波数が前記第一周波数である場合における前記電源電流の脈動幅の当該電源電流について予め規定された許容幅に対する余裕代が、前記スイッチング周波数が前記第二周波数である場合における前記システム電圧の脈動幅の当該システム電圧について予め規定された許容幅に対する余裕代よりも大きい場合には、前記切替点の周波数が前記第一周波数と前記第二周波数との中央値よりも前記第一周波数側に設定され、
前記スイッチング周波数が前記第一周波数である場合における前記電源電流の脈動幅の許容幅に対する余裕代が、前記スイッチング周波数が前記第二周波数である場合における前記システム電圧の脈動幅の許容幅に対する余裕代よりも小さい場合には、前記切替点の周波数が前記中央値よりも前記第二周波数側に設定される請求項１から３のいずれか一項に記載の回転電機駆動装置。
【発明の詳細な説明】
【技術分野】
【０００１】
本発明は、交流の回転電機を駆動制御する回転電機駆動装置に関する。
【背景技術】
【０００２】
近年、省エネルギや環境負荷軽減等の観点から、回転電機を駆動力源として備えたハイブリッド車両や電動車両が注目を集めている。このような車両においては、回転電機が駆動力源（モータ）として機能する際に電力を供給すると共に、当該回転電機が電力源（ジェネレータ）として機能する際に発電された電力を蓄電するバッテリなどの直流電源が備えられる。回転電機が駆動力源（モータ）として機能する際には、直流電源から供給される直流電力がインバータにより交流電力に変換されて回転電機が駆動される。回転電機がジェネレータとして機能する際には、回転電機により発電された交流電力がインバータにより直流電力に変換されて直流電源へ回生される。【０００３】
直流電源とインバータとの間には、直流電力を平滑する平滑コンデンサが備えられ、脈動などの直流電力の変動が抑制される。一般的に、ハイブリッド車両や電動車両の駆動力源となる回転電機を駆動するためのインバータの直流側の電圧は、２００〜４００［Ｖ］程度の高電圧である。従って、平滑コンデンサには、脈動による変動分も考慮しつつ、このような高電圧に対する高耐圧性能が求められる。また、インバータを構成するスイッチング素子の耐圧を考慮すると、平滑コンデンサには、脈動成分を抑制するために充分な静電容量を確保することが求められる。このため、一般的に平滑コンデンサは、高価となり、その体格も大きくなり、大きな設置スペースも必要となる。また、インバータと平滑コンデンサとは、回転電機駆動装置として一体的に設置されることや、互いに近傍に設置されることが多い。特に、車載用途の回転電機駆動装置には、重量や設置スペースなどの観点から軽量化、小型化が求められ、インバータや平滑コンデンサの軽量化、小型化が望まれる。【０００４】
例えば、特開２００９−１０６０４６号公報（特許文献１）には、冷却機構も含めて、省スペース化が図られた回転電機駆動装置（電力変換装置）が開示されている。この回転電機駆動装置では、スイッチング素子により構成されたパワーモジュールが、放熱部を有したケースの内側の平面上に配置される。そして、パワーモジュールに電気的に接続された平滑コンデンサは、パワーモジュールが配置された平面よりも一段低い平面上にパワーモジュールに隣接して配置される（第７〜８段落、図１等）。高耐圧や大容量が求められる平滑コンデンサは、その体格が大きくなる傾向がある。特許文献１では、平滑コンデンサの高さに対応させて、放熱部とパワーモジュールとを配置することによって、回転電機駆動装置の全体の高さを抑制し、省スペース化を実現している。【０００５】
このように、インバータの回路部（パワーモジュール）、冷却機構、平滑コンデンサなどのレイアウトを工夫することによって、ある程度の省スペースを実現することは可能である。しかし、耐圧や静電容量によって規定される平滑コンデンサの体格をより小型化して、装置全体の軽量化、小型化を実現するには至っていない。平滑コンデンサの容量を削減すると、小型化は実現可能であるが、上述したような脈動成分を充分に抑制できず、直流電源やスイッチング素子の劣化の抑制効果が低下する可能性が生じる。【０００６】
また、一般的に直流電源は、抵抗成分（Ｒ成分）や誘導成分（Ｌ成分）を有している。よって、平滑コンデンサの容量成分（Ｃ成分）と共にＲＬＣ回路が構成されることになる。従って、インバータの直流側の電圧であるシステム電圧をインバータの直流側の電流であるシステム電流で除した直流側電圧ゲインや、直流電源を流れる電流である電源電流をシステム電流で除した直流側電流ゲインの周波数特性は、共振点を有するものとなる。各ゲインの値は、スイッチング周波数がゼロから高くなるに従って増加し、共振周波数において最大値（共振点）となり、この共振点を変曲点としてスイッチング周波数が高くなるに従って減少していく。システム電圧や電源電流の脈動は、インバータのスイッチング素子のスイッチングに伴う電圧や電流の変動に伴って発生する。具体的には、システム電圧や電源電流の脈動は、スイッチング素子のスイッチング周波数に対応して発生する。例えば、スイッチング周波数の２倍の周波数成分を有する脈動が発生することが知られている。また、回転電機の回転数に応じて生じる高調波成分（特に、６次高調波成分及びその整数倍の高調波成分）もあるため、双方の脈動を考慮する必要がある。そして、その脈動の大きさ（振幅）は、１つの指標としての直流側電圧ゲインや１つの指標としての直流側電流ゲインの値に応じて大きくなる。従って、システム電圧や電源電流の脈動を小さく抑えるためには、直流側電圧ゲインや直流側電流ゲインの値が大きくなり過ぎないようにすることが好ましい。特に、平滑コンデンサを小型化するために容量を小さくすると共振ピークが鋭く現れてくるため、スイッチング周波数が共振周波数に近づくのを抑制し、各ゲインの値を小さく抑えることが好ましい。
【先行技術文献】
【特許文献】
【０００７】
【特許文献１】特開２００９−１０６０４６号公報
【発明の概要】
【発明が解決しようとする課題】
【０００８】
上記背景に鑑みて、インバータの直流側の電圧及び電流の脈動などの変動を抑制しつつ、当該直流側の平滑コンデンサを低容量化することが可能な技術が望まれる。
【課題を解決するための手段】
【０００９】
上記課題に鑑みた本発明に係る、交流の回転電機を駆動制御する回転電機駆動装置の特徴構成は、
直流電源と前記回転電機との間に電気的に介在されて、直流と交流との間で電力を変換するインバータと、
前記直流電源と前記インバータとの間に電気的に介在され、前記インバータの直流側の正極と負極との間に接続される平滑コンデンサと、
前記インバータのスイッチング素子を、定められたスイッチング周波数に従ってスイッチング制御するインバータ制御部と、
前記直流電源の正極と前記平滑コンデンサの正極との間の直流側インダクタンスを、前記スイッチング周波数に応じて、予め規定された基準インダクタンスと当該基準インダクタンスよりも高い高インダクタンスとの間で切り替えるインダクタンス制御部と、を備え、
前記インバータの直流側の電圧であるシステム電圧を前記インバータの直流側の電流であるシステム電流で除した直流側電圧ゲインの周波数特性において、前記基準インダクタンスに応じた前記直流側電圧ゲインの値が前記高インダクタンスに応じた前記直流側電圧ゲインの値と同じとなる周波数を第一周波数とし、
前記直流電源を流れる電流である電源電流を前記システム電流で除した直流側電流ゲインの周波数特性において、前記基準インダクタンスに応じた前記直流側電流ゲインの値が前記高インダクタンスに応じた前記直流側電流ゲインの値と同じとなる周波数を第二周波数とし、
前記インダクタンス制御部は、前記スイッチング周波数が前記第一周波数と前記第二周波数との間の周波数域内に設定される切替点の周波数より低い状態で前記基準インダクタンスとし、前記スイッチング周波数が前記切替点の周波数より高い状態で前記高インダクタンスとするように前記直流側インダクタンスを切り替える点にある。
【００１０】
インバータの直流側の電圧であるシステム電圧をインバータの直流側の電流であるシステム電流で除した直流側電圧ゲインや直流電源を流れる電流である電源電流をシステム電流で除した直流側電流ゲインの値は、周波数がゼロから高くなるに従って増加し、共振周波数において最大値（共振点）となり、この共振点を変曲点として周波数が高くなるに従って減少していく。また、これらの直流側電圧ゲインや直流側電流ゲインの周波数特性は、直流側インダクタンスの大きさに応じたものとなる。そして、それぞれのゲインの最大値を与える周波数（共振周波数）は、直流側インダクタンスが大きくなるに従って低周波数側にシフトする。そのため、各ゲインの基準インダクタンス及び高インダクタンスのそれぞれに応じた共振周波数が、異なる周波数域に分かれることになる。従って、例えばスイッチング周波数が上昇する場合には、高インダクタンスに応じた共振点を過ぎた後であって基準インダクタンスに応じた共振点に達する前に基準インダクタンスから高インダクタンスに切り替えることで、双方の共振点を避けることができる。逆に、スイッチング周波数が低下する場合には、基準インダクタンスに応じた共振点を過ぎた後であって高インダクタンスに応じた共振点に達する前に高インダクタンスから基準インダクタンスに切り替えることで、双方の共振点を避けることができる。【００１１】
本特徴構成によれば、スイッチング周波数が変化したときに、当該スイッチング周波数に応じて、直流側インダクタンスを基準インダクタンスと高インダクタンスとの間で切り替える。これにより、直流側電圧ゲインや直流側電流ゲインの周波数特性を、スイッチング周波数に応じて基準インダクタンスに応じたものと高インダクタンスに応じたものとの間で切り替えることができる。従って、直流側インダクタンスを適切に切り替えて、スイッチング周波数が各インダクタンスに応じた２つの共振周波数の双方に近づくことを抑制することが可能となり、各ゲインの値を小さく抑えることが可能となる。よって、スイッチング周波数の２倍の周波数成分及び回転電機の回転数に応じて生じる高調波成分が全体として大きくなることを抑制でき、システム電圧や電源電流の脈動が大きくなることを抑制できる。従って、インバータの直流側の電圧及び電流の脈動などの変動を抑制しつつ、平滑コンデンサを低容量化することが可能となる。【００１３】
また、上記の特徴構成によれば、スイッチング周波数が変化したときに、第一周波数と第二周波数との間の周波数域に設定される切替点で、直流側インダクタンスを、基準インダクタンスと高インダクタンスとの間で切り替えることになる。これにより、切替点の周波数の前後で、直流側電圧ゲインや直流側電流ゲインの周波数特性を、基準インダクタンスに応じたものと高インダクタンスに応じたものとの間で切り替えることができる。その際、各ゲインの基準インダクタンス及び高インダクタンスのそれぞれに応じた共振周波数が、切替点の周波数よりも高い周波数域と低い周波数域とに分かれることになる。従って、スイッチング周波数が変化したときに、当該スイッチング周波数に応じて直流側インダクタンスを適切に切り替えることができ、スイッチング周波数が各インダクタンスに応じた２つの共振周波数の双方に近づくことを抑制できる。その結果、各ゲインの値を小さく抑えることができる。よって、スイッチング周波数の２倍の周波数成分及び回転電機の回転数に応じて生じる高調波成分が全体として大きくなることを抑制でき、システム電圧や電源電流の脈動が大きくなることを抑制できる。従って、インバータの直流側の電圧及び電流の脈動などの変動を抑制しつつ、平滑コンデンサを低容量化することが可能となる。
【００１４】
直流側電圧ゲイン及び直流側電流ゲインのそれぞれの周波数特性において、各インダクタンスに応じた２つの共振周波数は、切替点が設定される周波数域の両側に分かれて存在する。ここで、切替点を設定可能な周波数域の広さは、第一周波数と第二周波数との差に応じて規定されることから、両者間の差が大きいほど、切替点の周波数を２つの共振周波数のいずれからも有効に遠ざけることが容易となる。また、両者間の差が大きいほど、切替点の設定の自由度も高まる。そして、第一周波数及び第二周波数、並びに切替点の周波数が適切に設定されれば、システム電圧及び電源電流の少なくとも一方の脈動を有効に抑えることができるので好適である。尚、第一周波数や第二周波数は、基準インダクタンス及び高インダクタンスに応じた各ゲインに基づいて決定されるため、切替可能な２つの直流側インダクタンスのそれぞれの大きさを適切に設定することも重要である。１つの態様として、前記システム電圧の脈動幅が予め規定された許容幅の範囲内に収まるように、前記基準インダクタンス及び前記高インダクタンス、並びに前記切替点の周波数が設定されていると好適である。また、１つの態様として、前記電源電流の脈動幅が予め規定された許容幅の範囲内に収まるように、前記基準インダクタンス及び前記高インダクタンス、並びに前記切替点の周波数が設定されていると好適である。【００１５】
第一周波数と第二周波数との間の周波数域内に切替点を設定するに際しては、当該切替点の周波数に応じたシステム電圧及び電源電流の脈動幅の、それぞれについての許容幅に対する余裕度が考慮されていることが好ましい。その際、直流側電圧ゲインの周波数特性に基づいて第一周波数が決定されることを考慮すれば、当該第一周波数における電源電流の脈動幅がその許容幅に対してある程度余裕をもって収まることが好ましい。逆に、直流側電流ゲインの周波数特性に基づいて第二周波数が決定されることを考慮すれば、当該第二周波数におけるシステム電圧の脈動幅がその許容幅に対してある程度余裕をもって収まることが好ましい。電源電流やシステム電圧の脈動幅がそれぞれについての許容幅内に収まる場合でも、より余裕代の大きい方に応じた周波数側に切替点が設定されることが好ましい。【００１６】
１つの態様として、前記スイッチング周波数が前記第一周波数である場合における前記電源電流の脈動幅の当該電源電流について予め規定された許容幅に対する余裕代が、前記スイッチング周波数が前記第二周波数である場合における前記システム電圧の脈動幅の当該システム電圧について予め規定された許容幅に対する余裕代よりも大きい場合には、前記切替点の周波数が前記第一周波数と前記第二周波数との中央値よりも前記第一周波数側に設定され、前記スイッチング周波数が前記第一周波数である場合における前記電源電流の脈動幅の許容幅に対する余裕代が、前記スイッチング周波数が前記第二周波数である場合における前記システム電圧の脈動幅の許容幅に対する余裕代よりも小さい場合には、前記切替点の周波数が前記中央値よりも前記第二周波数側に設定されると好適である。
【図面の簡単な説明】
【００１７】
【図１】回転電機駆動装置のシステム構成の一例を模式的に示すブロック図
【図２】直流電源部の制御モデルを示すブロック図
【図３】抵抗成分のみを考慮したゲイン（Ｖｄｃ／Ｉｄｃ）の周波数特性
【図４】抵抗及び誘導成分を考慮したゲイン（Ｖｄｃ／Ｉｄｃ）の周波数特性
【図５】抵抗成分のみを考慮したゲイン（Ｉｂ／Ｉｄｃ）の周波数特性
【図６】抵抗及び誘導成分を考慮したゲイン（Ｉｂ／Ｉｄｃ）の周波数特性
【図７】誘導成分の違いによるゲイン（Ｖｄｃ／Ｉｄｃ）の周波数特性の違いを示す波形図
【図８】誘導成分の違いによるゲイン（Ｉｂ／Ｉｄｃ）の周波数特性の違いを示す波形図
【図９】切替点の周波数を決定する条件を周波数特性上で示す図
【図１０】切替点の周波数を決定する条件を周波数特性上で示す図
【図１１】直流側インダクタンスの切り替えに伴うゲイン（Ｖｄｃ／Ｉｄｃ）の周波数特性の変化を示す図
【図１２】直流側インダクタンスの切り替えに伴うゲイン（Ｉｂ／Ｉｄｃ）の周波数特性の変化を示す図
【図１３】直流側インダクタンスの切替部の別形態を示す部分ブロック図
【図１４】直流側インダクタンスの切替部の別形態を示す部分ブロック図
【図１５】直流側インダクタンスの切替部の別形態を示す部分ブロック図
【図１６】直流側インダクタンスの切替部の別形態を示す部分ブロック図
【図１７】回転電機の回転数に応じたスイッチング周波数の対応マップを示す図
【図１８】回転電機の回転数に応じたスイッチング周波数の対応マップを示す図
【発明を実施するための形態】
【００１８】
以下、ハイブリッド車両や電動車両等の駆動力源となる回転電機ＭＧを制御する回転電機駆動装置を例として、本発明の実施形態を図面に基づいて説明する。図１のブロック図は、回転電機駆動装置１００の構成を模式的に示している。車両の駆動力源としての回転電機ＭＧは、複数相の交流（ここでは３相交流）により動作する回転電機であり、電動機としても発電機としても機能することができる。
【００１９】
鉄道のように架線から電力の供給を受けることができない自動車のような車両では、回転電機を駆動するための電力源としてニッケル水素電池やリチウムイオン電池などの二次電池（バッテリ）や、電気二重層キャパシタなどの直流電源を搭載している。本実施形態では、回転電機ＭＧに電力を供給するための大電圧大容量の直流電源として、例えば電源電圧２００〜４００［Ｖ］のバッテリ１１（高圧直流電源）が備えられている。バッテリ１１を流れる直流電流は、以下の説明において適宜“バッテリ電流（電源電流）”と称する。回転電機ＭＧは、交流の回転電機であるから、バッテリ１１と回転電機ＭＧとの間には、直流と交流との間で電力変換を行うインバータ１０が備えられている。インバータ１０の直流側の正極電源ラインＰ（高圧直流正極ライン）と負極電源ラインＮ（高圧直流負極ライン）との間の直流電圧は、以下の説明において適宜“システム電圧Ｖｄｃ”と称する。バッテリ１１は、インバータ１０を介して回転電機ＭＧに電力を供給可能であると共に、回転電機ＭＧが発電して得られた電力を蓄電可能である。インバータ１０とバッテリ１１との間には、直流電圧（システム電圧Ｖｄｃ）を平滑化する平滑コンデンサ４０（直流リンクコンデンサ）が備えられている。平滑コンデンサ４０は、回転電機ＭＧの消費電力の変動に応じて変動する直流電圧を安定化させる。
【００２０】
バッテリ１１は、複数のバッテリセルにより構成されており、バッテリ１１には、内部抵抗（抵抗成分）や内部インダクタンス（誘導成分）を含む内部インピーダンスが存在する。本実施形態では、これらをバッテリ抵抗Ｒｂ、バッテリインダクタンスＬｂと称する。また、バッテリ１１とインバータ１０とは、例えばバスバーと称される金属配線部材などを用いて接続されるが、このようなバスバーにも、導体抵抗（抵抗成分）や導体インダクタンス（誘導成分）を含む導体インピーダンスが存在する。つまり、バッテリ１１と平滑コンデンサ４０とインバータ１０とを接続する配線には、配線抵抗や配線インダクタンスを含む配線インピーダンスが存在する。本実施形態では、これらを配線抵抗Ｒｗ、配線インダクタンスＬｗと称する。
【００２１】
バッテリ１１の正極と平滑コンデンサ４０の正極との間には、インダクタンス（誘導成分）の大きさを切替可能なインダクタンス切替部５０が備えられている。本実施形態では、インダクタンス切替部５０は、バッテリ１１の正極と平滑コンデンサ４０の正極とを接続する配線に介在されたスイッチ（機械式スイッチ）５１と、このスイッチ５１に対して並列に接続された付加コイル５２とを有する。付加コイル５２にはインダクタンス（誘導成分）を含むインピーダンスが存在する。本実施形態では、これを付加インダクタンスＬａと称する。スイッチ５１は、後述する制御装置８からの制御信号に基づいてオンオフ制御され、オフの状態でバッテリ１１と平滑コンデンサ４０との間に付加コイル５２を電気的に介在させる。一方、スイッチ５１は、オンの状態で、付加コイル５２を介在させることなくバッテリ１１と平滑コンデンサ４０とを電気的に接続する。本実施形態では、制御装置８とインダクタンス切替部５０とが協働して、本発明における「インダクタンス制御部」として機能する。
【００２２】
インバータ１０からバッテリ１１側を見た際の、バスバーなどの配線部材を含む直流電源部の内部抵抗（電源内部抵抗Ｒｐｓ）は、バッテリ抵抗Ｒｂと配線抵抗Ｒｗとの和である。また、直流電源部の内部インダクタンス（電源内部インダクタンスＬｐｓ）は、スイッチ５１がオンの状態ではバッテリインダクタンスＬｂと配線インダクタンスＬｗとの和であり、スイッチ５１がオフの状態ではこれらに付加インダクタンスＬａが付加される。ただし、多くの場合、配線抵抗Ｒｗに比べてバッテリ抵抗Ｒｂが遙かに大きく、配線インダクタンスＬｗに比べてバッテリインダクタンスＬｂや付加インダクタンスＬａの方が遙かに大きい。よって、以下の説明においては、電源内部抵抗Ｒｐｓとしてバッテリ抵抗Ｒｂを用い、電源内部インダクタンスＬｐｓとしてバッテリインダクタンスＬｂ（スイッチ５１の状態に応じて付加インダクタンスＬａが付加される）を用いる。
【００２３】
尚、電源内部抵抗Ｒｐｓはインバータ１０よりもバッテリ１１側の抵抗であり、“直流側抵抗”と称することもできる。また、電源内部インダクタンスＬｐｓはインバータ１０よりもバッテリ１１側のインダクタンスであり、“直流側インダクタンスＬｄ”と称することもできる。また、本実施形態では、スイッチ５１がオンの状態における直流側インダクタンスＬｄ（バッテリインダクタンスＬｂ）を“基準インダクタンスＬｓ”と称し、スイッチ５１がオフの状態における直流側インダクタンスＬｄ（バッテリインダクタンスＬｂと付加インダクタンスＬａとの合計）を“高インダクタンスＬｈ”と称する。当然ながら、高インダクタンスＬｈは基準インダクタンスＬｓよりも大きい。尚、図２のブロック図は、直流電源部としてのバッテリ１１の端子間電圧（バッテリ電圧Ｖｂ）とシステム電圧Ｖｄｃとの関係を示す制御モデルである。
【００２４】
インバータ１０は、システム電圧Ｖｄｃを有する直流電力を複数相（ｎを自然数としてｎ相、ここでは３相）の交流電力に変換して回転電機ＭＧに供給すると共に、回転電機ＭＧが発電した交流電力を直流電力に変換して直流電源に供給する。インバータ１０は、複数のスイッチング素子を有して構成される。スイッチング素子には、ＩＧＢＴ（insulated gate bipolar transistor）やパワーＭＯＳＦＥＴ（metal oxide semiconductor field effect transistor）などのパワー半導体素子を適用すると好適である。また、これらのＳｉ（シリコン）デバイスに代えて、ＳｉＣ−ＭＯＳＦＥＴやＳｉＣ−ＳＩＴ（static induction transistor）などのＳｉＣ（シリコンカーバイド）デバイスや、ＧａＮ−ＭＯＳＥＴ（Gallium Nitride）等の高周波での動作が可能な複合化合物パワーデバイスをスイッチング素子に適用しても好適である。図１に示すように、本実施形態では、一例として、スイッチング素子にＩＧＢＴ３が用いられる。
【００２５】
直流と複数相の交流（ここでは３相交流）との間で電力変換するインバータ１０は、よく知られているように複数相（ここでは３相）のそれぞれに対応する数のアームを有するブリッジ回路により構成される。つまり、図１に示すように、インバータ１０の直流正極側（直流電源の正極側の正極電源ラインＰ）と直流負極側（直流電源の負極側の負極電源ラインＮ）との間に２つのＩＧＢＴ３が直列に接続されて１つのアーム１０Ａが構成される。ここで、正極電源ラインＰに接続されるＩＧＢＴ３を上段側ＩＧＢＴ（上段側スイッチング素子又はハイサイドスイッチ）と称し、負極電源ラインＮに接続されるＩＧＢＴ３を下段側ＩＧＢＴ（負極側スイッチング素子又はローサイドスイッチ）と称する。
【００２６】
複数相の交流が３相交流の場合には、この直列回路（１つのアーム１０Ａ）が３回線（３相：１０Ｕ，１０Ｖ，１０Ｗ）並列接続される。つまり、回転電機ＭＧのＵ相、Ｖ相、Ｗ相に対応するステータコイルのそれぞれに一組の直列回路（アーム１０Ａ）が対応したブリッジ回路が構成される。各相の上段側ＩＧＢＴのコレクタ端子は正極電源ラインＰに接続され、エミッタ端子は各相の下段側ＩＧＢＴのコレクタ端子に接続される。また、各相の下段側ＩＧＢＴのエミッタ端子は、負極電源ラインＮに接続される。対となる各相のＩＧＢＴ３による直列回路（アーム１０Ａ）の中間点、つまり、上段側ＩＧＢＴと下段側ＩＧＢＴとの接続点は、回転電機ＭＧのステータコイルにそれぞれ接続される。尚、ＩＧＢＴ３には、それぞれフリーホイールダイオード３９（回生ダイオード）が並列に接続される。フリーホイールダイオード３９は、カソード端子がＩＧＢＴ３のコレクタ端子に接続され、アノード端子がＩＧＢＴ３のエミッタ端子に接続される態様で、各ＩＧＢＴ３に対して並列に接続される。
【００２７】
図１に示すように、インバータ１０は、制御装置８により制御される。制御装置８は、マイクロコンピュータ等の論理回路を中核部材として構築されたＥＣＵ（electronic control unit）を有して構成されている。本実施形態では、ＥＣＵは、不図示の車両ＥＣＵ等の他の制御装置等からの要求信号として制御装置８に提供される回転電機ＭＧの目標トルクＴＭに基づいて、ベクトル制御法を用いた電流フィードバック制御を行って、インバータ１０を介して回転電機ＭＧを制御する。制御装置８のＥＣＵは、電流フィードバック制御のために種々の機能部を有して構成されており、各機能部は、マイクロコンピュータ等のハードウェアとソフトウェア（プログラム）との協働により実現される。尚、本例では、インバータ１０とインダクタンス切替部５０とが共通の制御装置８により制御される例を想定しているが、もちろん、これらは別々の制御装置により制御されてもよい。
【００２８】
回転電機ＭＧの各相のステータコイルを流れる実電流は電流センサ１２により検出され、制御装置８はその検出結果を取得する。また、回転電機ＭＧのロータの各時点での磁極位置は、回転センサ１３により検出され、制御装置８はその検出結果を取得する。回転センサ１３は、例えばレゾルバ等により構成される。ここで、磁極位置は、電気角上でのロータの回転角度を表している。制御装置８のＥＣＵは、電流センサ１２及び回転センサ１３の検出結果を用いて、回転電機ＭＧをフィードバック制御する。
【００２９】
車両には、高圧直流電源としてのバッテリ１１の他に、バッテリ１１よりも低電圧の電源である低圧バッテリ（低圧直流電源）も搭載されている（不図示）。低圧バッテリの電源電圧は、例えば１２〜２４［Ｖ］であり、制御装置８（ＥＣＵ）や、オーディオシステム、灯火装置、室内照明、計器類のイルミネーション、パワーウィンドウなどの電装品や、これらを制御する制御装置に電力を供給する。制御装置８は、レギュレータ回路等を備えて構成され、マイクロコンピュータ等を動作させるために適した電源を低圧バッテリから供給される電力によって生成する。
【００３０】
インバータ１０を構成する各ＩＧＢＴ３の制御端子であるゲート端子は、ドライブ回路７を介して制御装置８（ＥＣＵ）に接続されており、それぞれ個別にスイッチング制御される。回転電機ＭＧを駆動するための高圧系回路と、マイクロコンピュータなどを中核とするＥＣＵなどの低圧系回路とは、動作電圧（回路の電源電圧）が大きく異なる。このため、低圧系回路の制御装置８（ＥＣＵ）により生成されたＩＧＢＴ３の制御信号（スイッチング制御信号）は、ドライブ回路７を介して高圧回路系のゲート駆動信号として各ＩＧＢＴ３に供給される。ドライブ回路７は、フォトカプラやトランスなどの絶縁素子を有して構成されることが多い。
【００３１】
上述したように、制御装置８は、マイクロコンピュータなどの論理回路を中核として構成される。本実施形態では、制御装置８は、回転電機駆動プログラムを実行するマイクロコンピュータを中核として構成されている。このマイクロコンピュータは、ＣＰＵコア、プログラムメモリ、パラメータメモリ、ワークメモリ、タイマ、ポートなどを有して構成されている。ＣＰＵコアは、マイクロコンピュータの中核であり、命令レジスタや命令デコーダ、種々の演算の実行主体となるＡＬＵ(arithmetic logic unit)、フラグレジスタ、汎用レジスタ、割り込みコントローラなどを有して構成されている。本実施形態では、１つの半導体チップによりマイクロコンピュータが構成されている形態を例示するが、複数の部品を組み合わせてマイクロコンピュータユニットが構成されている形態をとることももちろん可能である。
【００３２】
プログラムメモリは、回転電機駆動プログラムが格納された不揮発性のメモリである。パラメータメモリは、プログラムの実行の際に参照される種々のパラメータが格納された不揮発性のメモリである。パラメータメモリは、プログラムメモリと区別することなく構築されてもよい。プログラムメモリやパラメータメモリは、例えばフラッシュメモリなどによって構成されると好適である。ワークメモリは、プログラム実行中の一時データを一時記憶するメモリである。ワークメモリは、揮発性で問題なく、高速にデータの読み書きが可能なＤＲＡＭ（dynamic RAM）やＳＲＡＭ（static RAM）により構成される。
【００３３】
タイマは、マイクロコンピュータのクロック周期を最小分解能として、時間を計測する。例えば、タイマは、プログラムの実行周期を監視する。また、タイマは、インバータ１０のＩＧＢＴ３を駆動するスイッチング制御信号の有効時間を計測して、当該スイッチング制御信号を生成する。また、タイマは、１回の電流フィードバック制御を実行する周期（基本制御周期）や、スイッチング制御信号の出力周期（スイッチング周期Ｔｃ）など、プログラムやパラメータによって予め規定される制御周期を管理する。ポートは、インバータ１０のＩＧＢＴ３のスイッチング制御信号などをマイクロコンピュータの端子を介して出力したり、マイクロコンピュータに入力される回転センサ１３からの回転検出信号や、電流センサ１２からの電流検出信号を受け取ったりする端子制御部である。
【００３４】
ところで、図２に示すように、直流電源部としてのバッテリ１１の制御モデルの伝達関数には、周波数に依存するインピーダンス成分として、直流側インダクタンスＬｄと、平滑コンデンサ４０の静電容量（直流リンクキャパシタンスＣｄ）とが含まれている。従って、システム電圧Ｖｄｃは、周波数の関数となる。図３及び図４は、システム電圧Ｖｄｃとインバータ１０に流れるシステム電流Ｉｄｃとにより規定されるゲイン（直流側電圧ゲイン）の周波数特性を示している。システム電流Ｉｄｃを基準としたシステム電圧Ｖｄｃのゲイン（直流側電圧ゲイン）は、直流側インダクタンスＬｄを考慮しない場合には、下記式(1)により規定され、図３に示すような周波数特性を示す。また、直流側電圧ゲインは、直流側インダクタンスＬｄを考慮する場合には、下記式(2)により規定され、図４に示すような周波数特性を示す。
【００３５】
【数１】
0006004087.tif 000002
【数２】
0006004087.tif 000003
【００３６】
式(1)、式(2)、及び図３、図４からわかるように、平滑コンデンサ４０の静電容量（直流リンクキャパシタンスＣｄ）が大きい方が、直流側電圧ゲインは小さい。換言すれば、平滑コンデンサ４０の小型化を図るために、平滑コンデンサ４０を低容量化すると、直流側電圧ゲインが大きくなり、システム電圧Ｖｄｃの脈動を抑制する効果が減少する。さらに、図３と図４との比較から明らかなように、直流電源部のインピーダンスである直流側インダクタンスＬｄを考慮した場合には、直流側インダクタンスＬｄと直流リンクキャパシタンスＣｄとの共振が生じ、この共振も考慮する必要がある。つまり、直流側インダクタンスＬｄを考慮しない場合には、単純に平滑コンデンサ４０を低容量化すると直流側電圧ゲインが大きくなるだけである。これに対して、直流側インダクタンスＬｄを考慮する場合には、共振によって直流側電圧ゲインが非常に大きくなる周波数（共振周波数）が出現する。図４に例示するように、直流リンクキャパシタンスＣｄがＣ１［μＦ］の場合の共振点（Ｑ２）におけるゲインの値は、直流リンクキャパシタンスＣｄがその１０倍のＣ２（＝１０・Ｃ１）［μＦ］の場合の共振点（Ｑ１）におけるゲインの値に比べて非常に大きい。
【００３７】
また、システム電流Ｉｄｃを基準としたバッテリ電流Ｉｂのゲイン（バッテリ電流ゲイン）も周波数の関数となる。図５及び図６は、バッテリ電流Ｉｂとインバータ１０に流れるシステム電流Ｉｄｃとにより規定されるゲイン（バッテリ電流ゲイン）の周波数特性を示している。バッテリ電流ゲインは、直流側インダクタンスＬｄを考慮しない場合には、下記式(3)により規定され、図５に示すような周波数特性を示す。また、バッテリ電流ゲインは、直流側インダクタンスＬｄを考慮する場合には、下記式(4)により規定され、図６に示すような周波数特性を示す。バッテリ電流Ｉｂは、本発明の直流電源を流れる電源電流に相当し、バッテリ電流ゲインは、本発明の直流側電流ゲインに相当する。
【００３８】
【数３】
0006004087.tif 000004
【数４】
0006004087.tif 000005
【００３９】
式(3)、式(4)、及び図５、図６からわかるように、平滑コンデンサ４０の静電容量（直流リンクキャパシタンスＣｄ）が大きい方が、バッテリ電流ゲインは小さい。換言すれば、平滑コンデンサ４０の小型化を図るために、平滑コンデンサ４０を低容量化すると、ゲインが大きくなり、バッテリ電流Ｉｂに生じる脈動を抑制する効果が減少する。さらに、図５と図６との比較から明らかなように、直流電源部のインピーダンスである直流側インダクタンスＬｄを考慮した場合には、直流側インダクタンスＬｄと直流リンクキャパシタンスＣｄとの共振が生じ、この共振も考慮する必要がある。つまり、直流側インダクタンスＬｄを考慮しない場合には、単純に平滑コンデンサ４０を低容量化するとバッテリ電流ゲインが大きくなるだけである。これに対して、直流側インダクタンスＬｄを考慮する場合には、共振によってバッテリ電流ゲインが非常に大きくなる周波数（共振周波数）が出現する。図６に例示するように、直流リンクキャパシタンスＣｄがＣ１［μＦ］の場合の共振点（Ｑ２）におけるゲインの値は、直流リンクキャパシタンスＣｄが１０倍のＣ２［μＦ］の場合の共振点（Ｑ１）におけるゲインの値に比べて非常に大きい。
【００４０】
尚、バッテリ１１の抵抗成分（Ｒ成分）や誘導成分（Ｌ成分）及び平滑コンデンサの容量成分（Ｃ成分）の内、周波数に依存するインピーダンス成分はＬ成分とＣ成分である。よって、直流側電圧ゲインやバッテリ電流ゲインの値は、周波数がゼロから高くなるに従って増加し、共振周波数において最大値（共振点）となり、この共振点を変曲点として周波数が高くなるに従って減少していく。例えばスイッチング周波数が１００［Ｈｚ］以上での解析においては、バッテリ１１の抵抗成分（Ｒ成分）と誘導成分（Ｌ成分）のみに基づいて共振周波数が算出されてもよい。
【００４１】
図７は、バッテリ抵抗Ｒｂ及び直流リンクキャパシタンスＣｄを一定にした状態で、直流側インダクタンスＬｄを異ならせて直流側電圧ゲインを求めたシミュレーション結果を示している。本実施形態では、直流側インダクタンスＬｄがＬ１［μＨ］、Ｌ１の２倍のＬ２（＝２・Ｌ１）［μＨ］、Ｌ２の約３．３倍のＬ３（≒３．３・Ｌ２）［μＨ］、Ｌ３の２．５倍のＬ４（＝２．５・Ｌ３）［μＨ］における直流側電圧ゲインを示している。図７から理解できるように、それぞれの直流側電圧ゲインの共振周波数は、直流側インダクタンスＬｄが大きくなるに従って低周波数側にシフトすることがわかる。また、本実施形態のように低容量の平滑コンデンサ４０を用いる場合には、その容量との関係で、それぞれの直流側電圧ゲインの共振ピークは、直流側インダクタンスＬｄが大きくなるに従ってより鋭く現れている。
【００４２】
図８は、バッテリ抵抗Ｒｂ及び直流リンクキャパシタンスＣｄを一定にした状態で、直流側インダクタンスＬｄを異ならせてバッテリ電流ゲインを求めたシミュレーション結果を示している。本実施形態では、図７同様、直流側インダクタンスＬｄがＬ１［μＨ］，Ｌ２［μＨ］，Ｌ３［μＨ］，Ｌ４［μＨ］におけるバッテリ電流ゲインを示している。図８から理解できるように、それぞれのバッテリ電流ゲインの共振周波数は、直流側インダクタンスＬｄが大きくなるに従って低周波数側にシフトすることがわかる。また、本実施形態のように低容量の平滑コンデンサ４０を用いる場合には、その容量との関係で、それぞれのバッテリ電流ゲインの共振ピークは、直流側インダクタンスＬｄが大きくなるに従ってより鋭く現れている。
【００４３】
システム電圧Ｖｄｃやバッテリ電流Ｉｂの脈動は、インバータ１０のＩＧＢＴ３のスイッチングに伴う電流や電圧の変動に伴って発生する。つまり、システム電圧Ｖｄｃやバッテリ電流Ｉｂの脈動は、ＩＧＢＴ３のスイッチング周波数ｆｃ（スイッチング周期Ｔｃの逆数）に対応して発生する。例えば、スイッチング周波数ｆｃの２倍の周波数成分を有する脈動が発生することが知られている。また、回転電機ＭＧの回転数に応じて生じる高調波成分（特に、６次高調波成分とその整数倍の高調波成分）もある。
【００４４】
本実施形態では、ＩＧＢＴ３のスイッチング周波数ｆｃは、回転電機ＭＧの回転数に応じて異なる値に設定される。１つの態様として、スイッチング周波数ｆｃが、回転電機ＭＧの回転数に比例して設定される構成を採用することができる。例えば、回転電機ＭＧの回転数を“Ｎ”として、下記式(5)に基づいてスイッチング周波数ｆｃを設定することができる。
【００４５】
【数５】
0006004087.tif 000006
【００４６】
尚、回転電機ＭＧの回転数に応じてスイッチング周波数ｆｃが異なる値に設定されるのであれば、もちろん、他の形態を採用することも可能である。１つの態様として、回転電機ＭＧの回転数に応じて複数の動作領域が設定され、スイッチング周波数ｆｃが動作領域毎に異なる値に設定されても好適である（図１７を参照）。即ち、スイッチング周波数ｆｃが、回転電機ＭＧの回転数が上昇するに従ってステップ的に高くなる（ｆｃ１＜ｆｃ２＜・・・）ように設定されても好適である。尚、この場合において、複数の動作領域の設定に際して、回転電機ＭＧの回転数及びトルクの双方が考慮されても好適である（図１８を参照）。
【００４７】
スイッチング周波数ｆｃが直流リンクキャパシタンスＣｄと直流側インダクタンスＬｄとの共振周波数に近い場合には、各ゲインの値が大きいことから、脈動が大きくなる。尚、共振周波数は、回転電機駆動装置１００のハードウェア構成によって決まる。従って、システム電圧Ｖｄｃやバッテリ電流Ｉｂの脈動を小さく抑えるためには、直流側電圧ゲインやバッテリ電流ゲインの値が大きくなり過ぎないようにすることが好ましい。特に、平滑コンデンサ４０を小型化するために容量を小さくすると共振ピークが鋭く現れてくるため、回転電機ＭＧの回転数に応じたスイッチング周波数ｆｃが共振周波数に近づくのを抑制し、各ゲインの値を小さく抑えることが好ましい。以下、各ゲインを小さく抑えるための構成について説明する。
【００４８】
上述したように、バッテリ１１の正極と平滑コンデンサ４０の正極との間にインダクタンス切替部５０が備えられ、制御装置８はインダクタンス切替部５０のスイッチ５１をオンオフ制御する。そして、スイッチ５１のオン状態で直流側インダクタンスＬｄが基準インダクタンスＬｓ（バッテリインダクタンスＬｂ）とされ、オフ状態で高インダクタンスＬｈ（バッテリインダクタンスＬｂ＋付加インダクタンスＬａ）とされる。直流側インダクタンスＬｄを基準インダクタンスＬｓと高インダクタンスＬｈとの間でステップ的に切り替えると、その大きさに応じて直流側電圧ゲインやバッテリ電流ゲインの周波数特性が変化する（図９及び図１０を参照）。本例では、高インダクタンスＬｈは基準インダクタンスＬｓの約７倍に設定されており（Ｌｈ≒７・Ｌｓ）、各ゲインの周波数特性は、直流側インダクタンスＬｄの切り替えに応じて大きく変化する。
【００４９】
一方、本実施形態では、ＩＧＢＴ３のスイッチング周波数ｆｃが回転電機ＭＧの回転数に比例して設定されるため、直流側電圧ゲインやバッテリ電流ゲインの周波数特性は、回転電機ＭＧの回転数に応じた各ゲインの値を表しているとも言える。そこで、スイッチング周波数ｆｃ（換言すれば、回転電機ＭＧの回転数）に応じて、直流側インダクタンスＬｄを基準インダクタンスＬｓと高インダクタンスＬｈとの間で切り替えることで、各ゲインの値を小さく抑えることが可能となる。ここでは、スイッチング周波数ｆｃが特定の値に達した（換言すれば、回転電機ＭＧの回転数が特定の値に達した）時点で直流側インダクタンスＬｄを切り替えることで、各ゲインの値を小さく抑えるようにしている。この際、システム電圧Ｖｄｃやバッテリ電流Ｉｂの脈動をそれぞれ小さく抑えるためには、いずれもスイッチング周波数ｆｃの関数である直流側電圧ゲイン及びバッテリ電流ゲインの値を、バランス良く小さく抑えることが求められる。これは、直流側インダクタンスＬｄを切り替えるタイミング（切替点）を規定する回転電機ＭＧの回転数又はスイッチング周波数ｆｃ（切替点の周波数ｆｓ；図１１等を参照）を適切に設定することで実現できる。
【００５０】
図９及び図１０に示すように、本実施形態では、直流側インダクタンスＬｄの切替点の周波数ｆｓを設定するに際して、２つの特定の周波数（第一周波数ｆ１，第二周波数ｆ２）との関係を考慮する。ここで、第一周波数ｆ１は、図９に示す直流側電圧ゲインの周波数特性において、基準インダクタンスＬｓに応じた直流側電圧ゲインの値が高インダクタンスＬｈに応じた直流側電圧ゲインの値と同じとなる周波数（ゼロを除く）である。即ち、第一周波数ｆ１は、基準インダクタンスＬｓに応じた共振周波数ｆｒｐ１と高インダクタンスＬｈに応じた共振周波数ｆｒｐ２との間の周波数域において、２つのインダクタンスＬｓ，Ｌｈに応じた直流側電圧ゲインの値が等しくなる周波数である。また、第二周波数ｆ２は、図１０に示すバッテリ電流ゲインの周波数特性において、基準インダクタンスＬｓに応じたバッテリ電流ゲインの値が高インダクタンスＬｈに応じたバッテリ電流ゲインの値と同じとなる周波数（ゼロを除く）である。即ち、第二周波数ｆ２は、基準インダクタンスＬｓに応じた共振周波数ｆｒｐ１と高インダクタンスＬｈに応じた共振周波数ｆｒｐ２との間の周波数域において、２つのインダクタンスＬｓ，Ｌｈに応じたバッテリ電流ゲインの値が等しくなる周波数である。
【００５１】
図９及び図１０から明らかなように、第一周波数ｆ１と第二周波数ｆ２との間の周波数域は、２つの共振周波数ｆｒｐ１，ｆｒｐ２のいずれからも離れて存在する。これにより、第一周波数ｆ１と第二周波数ｆ２との間の周波数域では、共振周波数ｆｒｐ１，ｆｒｐ２に比べて、直流側電圧ゲインやバッテリ電流ゲインの値が小さく抑えられていることがわかる。そこで、切替点に設定する回転電機ＭＧの回転数に応じたスイッチング周波数ｆｃ（即ち、切替点の周波数ｆｓ）は、第一周波数ｆ１と第二周波数ｆ２との間の周波数域内に設定されると好適である。
【００５２】
但し、第一周波数ｆ１は直流側電圧ゲインの周波数特性のみに基づいて決定されるため、図１０に示すように、当該第一周波数ｆ１におけるバッテリ電流ゲインが比較的大きくなる場合がある。バッテリ電流ゲインが大きくなると、バッテリ電流Ｉｂの脈動幅がその許容幅に収まらなくなる可能性がある。逆に、第二周波数ｆ２はバッテリ電流ゲインの周波数特性のみに基づいて決定されるため、図９に示すように、当該第二周波数ｆ２における直流側電圧ゲインが比較的大きくなる場合がある。直流側電圧ゲインが大きくなると、システム電圧Ｖｄｃの脈動幅がその許容幅に収まらなくなる可能性がある。尚、バッテリ電流Ｉｂの脈動幅は、スイッチング周波数ｆｃに応じて生じる基本リップルと、回転電機ＭＧの回転数に応じて生じる高調波成分（特に、６次高調波成分とその整数倍の高調波成分（６ｆ，１２ｆ，１８ｆ，・・・））とを合わせて考慮した脈動幅である。システム電圧Ｖｄｃの脈動幅に関しても、同様である。そこで、１つの態様として、システム電圧Ｖｄｃの脈動幅及びバッテリ電流Ｉｂの脈動幅がそれぞれについての許容幅の範囲内に収まるように、切替点の周波数ｆｓが設定されると好適である。
【００５３】
このような切替点の周波数ｆｓは、システム電圧Ｖｄｃやバッテリ電流Ｉｂの脈動幅の、それぞれの許容幅に対する余裕代（マージン）を考慮して決定されると好適である。１つの態様として、切替点の周波数ｆｓは、スイッチング周波数ｆｃが第一周波数ｆ１である場合におけるバッテリ電流Ｉｂの脈動幅と、スイッチング周波数ｆｃが第二周波数ｆ２である場合におけるシステム電圧Ｖｄｃの脈動幅との内の、それぞれについての許容幅に対する余裕代が相対的に大きい方に応じた周波数側に設定されると好適である。具体的には、スイッチング周波数ｆｃが第一周波数ｆ１である場合におけるバッテリ電流Ｉｂの脈動幅の許容幅に対する余裕代が、スイッチング周波数ｆｃが第二周波数ｆ２である場合におけるシステム電圧Ｖｄｃの脈動幅の許容幅に対する余裕代よりも大きい場合には、切替点の周波数ｆｓが第一周波数ｆ１と第二周波数ｆ２との中央値ｆｍよりも第一周波数ｆ１側に設定されると好適である。一方、スイッチング周波数ｆｃが第一周波数ｆ１である場合におけるバッテリ電流Ｉｂの脈動幅の許容幅に対する余裕代が、スイッチング周波数ｆｃが第二周波数ｆ２である場合におけるシステム電圧Ｖｄｃの脈動幅の許容幅に対する余裕代よりも小さい場合には、切替点の周波数ｆｓが上記の中央値ｆｍよりも第二周波数ｆ２側に設定されると好適である。
【００５４】
図１１及び図１２は、第一周波数ｆ１でのバッテリ電流Ｉｂの脈動幅に係る余裕代が、第二周波数ｆ２でのシステム電圧Ｖｄｃの脈動幅に係る余裕代よりも小さい場合の例を示している。本例では、中央値ｆｍと第二周波数ｆ２との間の周波数域内に、切替点の周波数ｆｓが設定されている。
【００５５】
また、図１１及び図１２には、スイッチング周波数ｆｃに応じた（即ち、回転電機ＭＧの回転数に応じた）、直流側インダクタンスＬｄの切り替えに伴う直流側電圧ゲイン及びバッテリ電流ゲインの変化の様子が示される。回転電機ＭＧの回転数が比較的低く、スイッチング周波数ｆｃが切替点の周波数ｆｓよりも低い状態では、インダクタンス切替部５０により、直流側インダクタンスＬｄが基準インダクタンスＬｓに維持される。このため、スイッチング周波数ｆｃが高インダクタンスＬｈに応じた共振周波数ｆｒｐ２に一致する時点及びその前後において、直流側インダクタンスＬｄが基準インダクタンスＬｓに維持され、実支配の直流側電圧ゲイン及びバッテリ電流ゲインが小さく抑えられる。
【００５６】
一方、回転電機ＭＧの回転数が比較的高く、スイッチング周波数ｆｃが切替点の周波数ｆｓ以上の状態では、インダクタンス切替部５０により、直流側インダクタンスＬｄが高インダクタンスＬｈに維持される。このため、スイッチング周波数ｆｃが基準インダクタンスＬｓに応じた共振周波数ｆｒｐ１に一致する時点及びその前後において、直流側インダクタンスＬｄが高インダクタンスＬｈに維持され、実支配の直流側電圧ゲイン及びバッテリ電流ゲインが小さく抑えられる。
【００５７】
回転電機ＭＧの回転数が比較的低い状態から次第に上昇して、スイッチング周波数ｆｃが切替点の周波数ｆｓに達すると、直流側インダクタンスＬｄが基準インダクタンスＬｓから高インダクタンスＬｈにステップ的に切り替えられる。これにより、切替点の周波数ｆｓの前後で、直流側電圧ゲインやバッテリ電流ゲインの周波数特性が、基準インダクタンスＬｓに応じたものから高インダクタンスＬｈに応じたものへと瞬時に切り替えられる。尚、その際、実支配の直流側電圧ゲインはステップ的に上昇するが（図１１を参照）、システム電圧Ｖｄｃの脈動幅は、その許容幅内に収まっている（不図示）。実支配のバッテリ電流ゲインはステップ的に下降し（図１２を参照）、バッテリ電流Ｉｂの脈動幅はさらに小さくなっている（不図示）。
【００５８】
このように、回転電機ＭＧの回転数の上昇に応じてスイッチング周波数ｆｃが上昇したときに、スイッチング周波数ｆｃが基準インダクタンスＬｓに応じた共振周波数ｆｒｐ１に近づく前に、直流側インダクタンスＬｄを高インダクタンスＬｈに切り替える。即ち、スイッチング周波数ｆｃが共振周波数ｆｒｐ１に近づいて各ゲインが大きくなり過ぎる前に、直流側インダクタンスＬｄを基準インダクタンスＬｓから高インダクタンスＬｈに切り替える。当該切替後は、スイッチング周波数ｆｃは、高インダクタンスＬｈに応じた共振周波数ｆｒｐ２よりも既に高周波数側に位置しているので、スイッチング周波数ｆｃのさらなる上昇に伴って各ゲインは次第に低下する。
【００５９】
一方、回転電機ＭＧの回転数が比較的高い状態から次第に低下して、スイッチング周波数ｆｃが切替点の周波数ｆｓに達すると、直流側インダクタンスＬｄが高インダクタンスＬｓから基準インダクタンスＬｈにステップ的に切り替えられる。これにより、切替点の周波数ｆｓの前後で、直流側電圧ゲインやバッテリ電流ゲインの周波数特性が、高インダクタンスＬｈに応じたものから基準インダクタンスＬｓに応じたものへと瞬時に切り替えられる。尚、その際、実支配のバッテリ電流ゲインはステップ的に上昇するが（図１２を参照）、バッテリ電流Ｉｂの脈動幅は、その許容幅内に収まっている（不図示）。実支配の直流側電圧ゲインはステップ的に下降し（図１１を参照）、システム電圧Ｖｄｃの脈動幅はさらに小さくなっている（不図示）。
【００６０】
このように、回転電機ＭＧの回転数の低下に応じてスイッチング周波数ｆｃが低下したときに、スイッチング周波数ｆｃが高インダクタンスＬｈに応じた共振周波数ｆｒｐ２に近づく前に、直流側インダクタンスＬｄを基準インダクタンスＬｓに切り替える。即ち、スイッチング周波数ｆｃが共振周波数ｆｒｐ２に近づいて各ゲインが大きくなり過ぎる前に、直流側インダクタンスＬｄを高インダクタンスＬｈから基準インダクタンスＬｓに切り替える。当該切替後は、スイッチング周波数ｆｃは、基準インダクタンスＬｓに応じた共振周波数ｆｒｐ１よりも既に低周波数側に位置しているので、スイッチング周波数ｆｃのさらなる低下に伴って各ゲインは次第に低下する。
【００６１】
以上説明したように、回転電機ＭＧの回転数に応じてスイッチング周波数ｆｃが変化したときに、直流側インダクタンスＬｄを切り替えることで、スイッチング周波数ｆｃが各インダクタンスＬｓ，Ｌｈに応じた２つの共振周波数ｆｒｐ１，ｆｒｐ２の双方に近づくのを抑制することができる。その結果、広い周波数域において各ゲインの値を小さく抑えることができ（図１１及び図１２を参照）、システム電圧Ｖｄｃやバッテリ電流Ｉｂの脈動が大きくなることを抑制することができる。
【００６２】
尚、一般的に、スイッチング周波数ｆｃに応じて生じるリップルを抑制する目的で、バッテリ１１とインバータ１０との間に固定インダクタ等の誘導成分（Ｌ成分）が設けられる場合もある。しかし、このような構成の採用は、一般的に、平滑コンデンサ４０の容量がある程度大きい場合に限られている。この場合において、平滑コンデンサ４０を低容量化した場合には、特に回転電機ＭＧが高回転で駆動される状況で、直流側電圧ゲインやバッテリ電流ゲインが大きくなり、高調波成分（特に、６次高調波成分及びその整数倍の高調波成分）に基づく脈動が大きくなる可能性がある。これに対して、本発明によれば、低容量の平滑コンデンサ４０を用いる場合であっても、回転電機ＭＧの回転数に応じて直流側インダクタンスＬｄを切り替えることで、システム電圧Ｖｄｃやバッテリ電流Ｉｂの脈動などの変動を抑制することができる。即ち、スイッチング周波数ｆｃの２倍の周波数成分と回転電機ＭＧの回転数に応じた高調波成分とに関して、いずれか一方が大きくなっても他方が小さくなるように直流側インダクタンスＬｄが切り替えられるので、全体としての脈動を小さく抑えることができる。その結果、システム電圧Ｖｄｃやバッテリ電流Ｉｂの脈動などの変動を有効に抑制することができる。
【００６３】
本発明は、このような概念に基づいて設計される回転電機駆動装置に広く適用することが可能である。当業者であれば、上述した具体的な実施形態に基づき、本発明の趣旨を逸脱しない範囲で、適宜改変が可能であることが容易に理解できるであろう。従って、本発明の趣旨を逸脱しない範囲で改変された別の実施形態も当然ながら、本発明に含まれるものである。
【００６４】
例えば、直流側インダクタンスＬｄとして切替可能な基準インダクタンスＬｓ及び高インダクタンスＬｈの値は、適宜設定変更が可能である。本実施形態の構成のように、直流側インダクタンスＬｄの切替点の周波数ｆｓを第一周波数ｆ１と第二周波数ｆ２との間の周波数域内に設定する場合、切替点を設定可能な周波数域の広さは、第一周波数ｆ１と第二周波数ｆ２との差に応じて規定される。したがって、第一周波数ｆ１と第二周波数ｆ２との間の差が大きくなるに従って切替点の周波数ｆｓを共振周波数ｆｒｐ１，ｆｒｐ２のいずれからも有効に遠ざけることが容易となるので好ましい。また、第一周波数ｆ１と第二周波数ｆ２との間の差が大きくなるに従って、切替点の周波数ｆｓの設定の自由度が高まるので好ましい。一方、第一周波数ｆ１や第二周波数ｆ２は、基準インダクタンスＬｓ及び高インダクタンスＬｈに応じた各ゲインに基づいて決定されるため、切替可能な２つの直流側インダクタンスＬｄの大きさを適切に設定することも重要である。これらを適切に設定することにより、システム電圧Ｖｄｃの脈動幅及びバッテリ電流Ｉｂの脈動幅を効果的に小さく抑えることができる。１つの態様として、システム電圧Ｖｄｃの脈動幅及びバッテリ電流Ｉｂの脈動幅がそれぞれについての許容幅の範囲内に収まるように、基準インダクタンスＬｓ及び高インダクタンスＬｈが設定されるとよい。尚、上記の実施形態では、高インダクタンスＬｈが基準インダクタンスＬｓの約７倍に設定されている例を示したが、それ以上（例えば１０倍以上など）に設定されてもよい。また、それ以下（例えば３倍以上６倍以下など）に設定されることを妨げるものでもない。
【００６５】
また、１つの態様として、切替点の周波数ｆｓが、第一周波数ｆ１及び第二周波数ｆ２のいずれかに設定されてもよい。この場合、スイッチング周波数ｆｃが第一周波数ｆ１である場合におけるバッテリ電流Ｉｂの脈動幅と、スイッチング周波数ｆｃが第二周波数ｆ２である場合におけるシステム電圧Ｖｄｃの脈動幅との内の、それぞれについての許容幅に対する余裕代が相対的に大きい方に応じた周波数に設定されてもよい。即ち、スイッチング周波数ｆｃが第一周波数ｆ１である場合におけるバッテリ電流Ｉｂの脈動幅の許容幅に対する余裕代が、スイッチング周波数ｆｃが第二周波数ｆ２である場合におけるシステム電圧Ｖｄｃの脈動幅の許容幅に対する余裕代よりも大きい場合には、切替点の周波数ｆｓが第一周波数ｆ１に設定されてもよい。一方、スイッチング周波数ｆｃが第一周波数ｆ１である場合におけるバッテリ電流Ｉｂの脈動幅の許容幅に対する余裕代が、スイッチング周波数ｆｃが第二周波数ｆ２である場合におけるシステム電圧Ｖｄｃの脈動幅の許容幅に対する余裕代よりも小さい場合には、切替点の周波数ｆｓが第二周波数ｆ２に設定されてもよい。
【００６６】
また、上記の実施形態では、直流側インダクタンスＬｄを基準インダクタンスＬｓと高インダクタンスＬｈとの間で切り替える切替点の周波数ｆｓを、第一周波数ｆ１と第二周波数ｆ２との間の周波数域内に設定する構成を例として説明した。しかし、本発明の実施形態はこれに限定されるものではなく、切替点の周波数ｆｓを、第一周波数ｆ１と第二周波数ｆ２との間の周波数域の外に設定してもよい。１つの態様として、切替点の周波数ｆｓを、直流側電圧ゲインの周波数特性における高インダクタンスＬｈに応じた共振周波数ｆｒｐ２とバッテリ電流ゲインの周波数特性における高インダクタンスＬｈに応じた共振周波数ｆｒｐ２とのいずれか高い方の周波数よりも高く、第一周波数ｆ１と第二周波数ｆ２とのいずれか低い方の周波数よりも低い周波数域内に設定してもよい。或いは、切替点の周波数ｆｓを、直流側電圧ゲインの周波数特性における基準インダクタンスＬｓに応じた共振周波数ｆｒｐ１とバッテリ電流ゲインの周波数特性における基準インダクタンスＬｓに応じた共振周波数ｆｒｐ１とのいずれか低い方の周波数よりも低く、第一周波数ｆ１と第二周波数ｆ２とのいずれか高い方の周波数よりも高い周波数域内に設定してもよい。但し、いずれの場合においても、切替点の周波数ｆｓは、共振周波数ｆｒｐ１，ｆｒｐ２から離して設定し、直流側電圧ゲイン及びバッテリ電流ゲインの値が小さくなるようにすると好適である。
【００６７】
また、上記の実施形態では、切替点の周波数ｆｓを１つだけ設定し、直流側インダクタンスＬｄを第一周波数ｆ１と第二周波数ｆ２との間の周波数域内で１回だけ切り替える構成を例として説明した。しかし、本発明の実施形態はこれに限定されるものではなく、切替点を複数設定することも可能である。１つの態様として、例えば、上述した第一周波数ｆ１と第二周波数ｆ２との間の切替点（第一切替点の）とは別に第二の切替点を設定してもよい。またこの場合において、当該第二の切替点の周波数を、直流側電圧ゲインの周波数特性における基準インダクタンスＬｓに応じた共振周波数ｆｒｐ１とバッテリ電流ゲインの周波数特性における基準インダクタンスＬｓに応じた共振周波数ｆｒｐ１とのいずれか高い方の周波数よりも高い周波数に設定し、スイッチング周波数が第一の切替点ｆｓより低い状態で基準インダクタンスＬｓとし、スイッチング周波数が第一の切替点ｆｓより高く第二の切替点よりも低い状態で高インダクタンスＬｈとし、スイッチング周波数が第二の切替点より高い状態で再び基準インダクタンスＬｓとするように、直流側インダクタンスＬｄを切り替えてもよい。この場合においても、第二の切替点の周波数は、共振周波数ｆｒｐ１から離して設定し、直流側電圧ゲイン及びバッテリ電流ゲインの値が小さくなるようにすると好適である。
【００６８】
また、１つの態様として、切替点の周波数ｆｓを設定するに際して、ヒステリシスを設けてもよい。即ち、回転電機ＭＧの回転数の上昇に応じてスイッチング周波数ｆｃが上昇する際の切替点の周波数を、回転電機ＭＧの回転数の低下に応じてスイッチング周波数ｆｃが低下する際の切替点の周波数よりも高周波数側に設定してもよい。
【００６９】
また、インダクタンス切替部５０の具体的構成としては、少なくとも基準インダクタンスＬｓと高インダクタンスＬｈとの間で直流側インダクタンスＬｄを切替可能なものであれば、任意の構成を採用することができる。図１３〜図１６には、インダクタンス切替部５０の別形態を示す。図１３は、付加コイル５２に対して並列に接続されたスイッチとして、サイリスタ等の半導体素子を用いた半導体スイッチ５３が用いられた例を示す。図１４は、インダクタンスの大きさを任意に切替可能な可変リアクトル５４が用いられた例を示す。図１５は、スイッチング電源（不図示）に接続された１次コイルとバッテリ１１の正極と平滑コンデンサ４０の正極との間に接続された２次コイルとを有するトランス５５が用いられた例を示す。この例では、１次コイルに供給される交流電力により発生する磁界によって２次コイルが飽和することにより、インダクタンスの大きさが変化する。図１６は、付加コイル５２に対して直列に接続された半導体素子（ＭＯＳＦＥＴやＩＧＢＴなど）からなるスイッチング素子５６を備えた例を示す。この例では、スイッチング素子５６をオンオフ制御することによって付加コイル５２が飽和することにより、インダクタンスの大きさが変化する。これらは、製造コスト、必要となる設置面積、補助電源の要否、及び冷却機構の要否などを総合的に考慮して選択されるとよい。
【００７０】
また、１つの態様として、インダクタンス切替部５０と平滑コンデンサ４０の正極との間に抵抗を介在させてもよい。このような抵抗を付加することで、共振点のピークを下げる（共振点における各ゲインの値を小さくする）ことができる。そして、そのような構成を前提として、上述したような直流側インダクタンスＬｄの切り替えを行うように構成されてもよい。
【００７１】
また、上記の実施形態では、スイッチング素子としてＩＧＢＴ３を用いる場合を例として説明したが、本発明の構成は、スイッチング素子としてＳｉＣ−ＭＯＳＦＥＴやＳｉＣ−ＳＩＴなどのＳｉＣデバイスを用いる場合にも非常に適している。すなわち、これらのＳｉＣデバイスは、Ｓｉデバイスに比べて、スイッチング損失が少なく、高温でも安定的に動作可能であるため、比較的高いスイッチング周波数としても損失を抑えて安定的にどうさせることができるという特性を備えている。そのため、本発明の構成は、このようなＳｉＣデバイスをスイッチング素子として用い、スイッチング周波数として幅広い周波数域を利用する場合に特に好適である。
【産業上の利用可能性】
【００７２】
本発明は、交流の回転電機を駆動制御する回転電機駆動装置に利用することができる。
【符号の説明】
【００７３】
８        ：制御装置
１０      ：インバータ
１１      ：バッテリ（直流電源）
４０      ：平滑コンデンサ
５０      ：インダクタンス切替部
１００    ：回転電機駆動装置
Ｉｂ      ：バッテリ電流（電源電流）
Ｉｄｃ    ：システム電流
Ｌｄ      ：直流側インダクタンス
Ｌｈ      ：高インダクタンス
Ｌｓ      ：基準インダクタンス
ＭＧ      ：回転電機
Ｖｄｃ    ：システム電圧
ｆ１      ：第一周波数
ｆ２      ：第二周波数
ｆｃ      ：スイッチング周波数
ｆｍ      ：中央値
ｆｓ      ：切替点の周波数
【図１】
0006004087.tif 000007
【図２】
0006004087.tif 000008
【図３】
0006004087.tif 000009
【図４】
0006004087.tif 000010
【図５】
0006004087.tif 000011
【図６】
0006004087.tif 000012
【図７】
0006004087.tif 000013
【図８】
0006004087.tif 000014
【図９】
0006004087.tif 000015
【図１０】
0006004087.tif 000016
【図１１】
0006004087.tif 000017
【図１２】
0006004087.tif 000018
【図１３】
0006004087.tif 000019
【図１４】
0006004087.tif 000020
【図１５】
0006004087.tif 000021
【図１６】
0006004087.tif 000022
【図１７】
0006004087.tif 000023
【図１８】
0006004087.tif 000024